(57)【要約】  ＩＰアドレス配信装置１は、表示部１ａと、ＩＰアドレスと当該ＩＰアドレスが使用されるべき機器の列車内設置位置とが対応付けて管理されると共に当該ＩＰアドレスが使用済みかまたは未使用かの情報を含むＩＰアドレス管理テーブル３３ａを記憶する記憶部３３と、要求元の機器からＩＰアドレスの要求を受けると、ＩＰアドレス管理テーブル３３ａを参照して未使用のＩＰアドレスを前記列車内設置位置と対応付けて表示部１ａに表示し、当該表示部に表示された前記未使用のＩＰアドレスのうち前記要求元の機器の列車内設置位置に対応するＩＰアドレスを選択するための入力情報を受け付け、当該入力情報に基づいて前記要求元の機器に割り当てるＩＰアドレスを前記ＩＰアドレス管理テーブル３３ａから選択するＩＰアドレス配信部３０ａと、を備える。
2016079824.tif 000002
【特許請求の範囲】
【請求項１】
列車内に構築された通信ネットワークに接続された複数の機器と、
前記通信ネットワークに接続され、機器からの要求に応じて要求元の機器に割り当てるＩＰアドレスを選択し、当該ＩＰアドレスを前記要求元の機器に送信するＩＰアドレス配信装置と、
を備え、
前記ＩＰアドレス配信装置は、
表示部と、
ＩＰアドレスと当該ＩＰアドレスが使用されるべき機器の列車内設置位置とが対応付けて管理されると共に当該ＩＰアドレスが使用済みかまたは未使用かの情報を含むＩＰアドレス管理テーブルを記憶する記憶部と、
前記要求元の機器からＩＰアドレスの要求を受けると、前記ＩＰアドレス管理テーブルを参照して未使用のＩＰアドレスを前記列車内設置位置と対応付けて前記表示部に表示し、当該表示部に表示された前記未使用のＩＰアドレスのうち前記要求元の機器の列車内設置位置に対応するＩＰアドレスを選択するための入力情報を受け付け、当該入力情報に基づいて前記要求元の機器に割り当てるＩＰアドレスを前記ＩＰアドレス管理テーブルから選択するＩＰアドレス配信部と、
を備えることを特徴とするＩＰアドレス配信システム。
【請求項２】
前記機器は、
操作による外部入力が可能な入力部と、
電源オン時に前記入力部が操作された状態である場合に、ＩＰアドレスを要求するＩＰアドレス要求信号を前記通信ネットワークに送出するＩＰアドレス要求部と、
を備えることを特徴とする請求項１に記載のＩＰアドレス配信システム。
【請求項３】
前記機器は、
電源オン時に当該機器にＩＰアドレスが未設定の場合に、ＩＰアドレスを要求するＩＰアドレス要求信号を前記通信ネットワークに送出するＩＰアドレス要求部
を備えることを特徴とする請求項１に記載のＩＰアドレス配信システム。
【請求項４】
前記ＩＰアドレス配信装置は、
使用済みのＩＰアドレスが割り当てられた機器にＩＰアドレスのクリア処理を実行させるＩＰアドレスクリア信号を生成するＩＰアドレスクリア信号生成部
を備え、
前記ＩＰアドレスクリア信号生成部は、ＩＰアドレスの再設定の対象である機器に、ＩＰアドレスクリア信号を送信することを特徴とする請求項３に記載のＩＰアドレス配信システム。
【請求項５】
前記機器は、
当該機器の一部に故障が発生したか否かを判定し、故障が発生した場合には、当該機器の故障情報を前記ＩＰアドレス配信装置に送信する故障判定部
を備え、
前記ＩＰアドレス配信装置は、前記機器から故障情報を受信すると、前記ＩＰアドレス管理テーブルを参照し、送信元のＩＰアドレスと当該ＩＰアドレスに対応付けられた列車内設置位置を前記表示部に表示することを特徴とする請求項１から４のいずれか１項に記載のＩＰアドレス配信システム。
【請求項６】
前記表示部は、無線通信機能を備え、
前記表示部は、携帯端末との無線通信により、未使用のＩＰアドレスを前記列車内設置位置と対応付けて表示する表示内容を前記携帯端末に送信し、
前記携帯端末は、前記表示部から送信された前記表示内容を表示し、前記未使用のＩＰアドレスのうち前記要求元の機器の列車内設置位置に対応するＩＰアドレスを選択するための入力情報を受け付け、当該入力情報を前記表示部に送信し、
前記ＩＰアドレス配信部は、前記表示部を介して、前記携帯端末から送信された前記入力情報を受け付けることを特徴とする請求項１から４のいずれか１項に記載のＩＰアドレス配信システム。
【請求項７】
列車内に構築された通信ネットワークに接続され、前記通信ネットワークに接続された機器からの要求に応じて要求元の機器に割り当てるＩＰアドレスを選択し、当該ＩＰアドレスを前記要求元の機器に送信するＩＰアドレス配信装置であって、
表示部と、
ＩＰアドレスと当該ＩＰアドレスが使用されるべき機器の列車内設置位置とが対応付けて管理されると共に当該ＩＰアドレスが使用済みかまたは未使用かの情報を含むＩＰアドレス管理テーブルを記憶する記憶部と、
前記要求元の機器からＩＰアドレスの要求を受けると、前記ＩＰアドレス管理テーブルを参照して未使用のＩＰアドレスを前記列車内設置位置と対応付けて前記表示部に表示し、当該表示部に表示された前記未使用のＩＰアドレスのうち前記要求元の機器の列車内設置位置に対応するＩＰアドレスを選択するための入力情報を受け付け、当該入力情報に基づいて前記要求元の機器に割り当てるＩＰアドレスを前記ＩＰアドレス管理テーブルから選択するＩＰアドレス配信部と、
を備えることを特徴とするＩＰアドレス配信装置。
【請求項８】
列車内に構築された通信ネットワークに接続された機器が、ＩＰアドレス要求信号を前記通信ネットワークに送出するステップと、
前記通信ネットワークに接続されたＩＰアドレス配信装置が、前記ＩＰアドレス要求信号を受信するステップと、
前記ＩＰアドレス配信装置が、ＩＰアドレスと当該ＩＰアドレスが使用されるべき機器の列車内設置位置とが対応付けて管理されると共に当該ＩＰアドレスが使用済みかまたは未使用かの情報を含むＩＰアドレス管理テーブルを参照して、未使用のＩＰアドレスを検索するステップと、
前記ＩＰアドレス配信装置が、検索された未使用のＩＰアドレスを前記列車内設置位置と対応付けて表示部に表示するステップと、
前記ＩＰアドレス配信装置が、前記表示部に表示された前記未使用のＩＰアドレスのうちＩＰアドレスの要求元の機器の列車内設置位置に対応するＩＰアドレスを選択するための入力情報を受け付けるステップと、
前記ＩＰアドレス配信装置が、前記入力情報に基づいて前記要求元の機器に割り当てるＩＰアドレスを前記ＩＰアドレス管理テーブルから選択し、当該ＩＰアドレスを前記要求元の機器に送信するステップと、
を含むことを特徴とするＩＰアドレス配信方法。 
【発明の詳細な説明】
【技術分野】
【０００１】
本発明は、列車内で機器にＩＰアドレスを配信するＩＰアドレス配信装置、ＩＰアドレス配信システムおよびＩＰアドレス配信方法に関する。
【背景技術】
【０００２】
鉄道車両に搭載された機器間の通信では、イーサネット（登録商標）規格に基づくネットワーク方式が国際標準となることが想定されている。また、イーサネット（登録商標）は、欧州、北米を中心に鉄道車両内での機器間の通信に既に採用されつつある。【０００３】
イーサネット（登録商標）上の通信プロトコルとしてはＴＣＰ／ＩＰが一般的である。ＴＣＰ／ＩＰでは、機器を識別する情報としてＩＰアドレスが使用され、ＩＰアドレスは機器ごとに一意に割り振られる。【０００４】
オフィスあるいは一般家庭のＬＡＮで採用されるＩＰアドレスの配信方式としては、ＤＨＣＰ（Dynamic  Host  Configuration  Protocol）を利用してＩＰアドレスを配信する方式、スイッチングハブのポート別に配信するＩＰアドレスを決定する方式、または手動で１台ずつＩＰアドレスを設定する方式など様々な方式が提案され採用されている。【０００５】
また、特許文献１には、列車の編成内で端末装置にＩＰアドレスを配信するＩＰアドレス配信装置が記載され、ＩＰアドレスはＩＰアドレス配信装置から端末装置に至るまでの経路情報に基づいて決定される。
【先行技術文献】
【特許文献】
【０００６】
【特許文献１】特許第４７９００８８号公報
【発明の概要】
【発明が解決しようとする課題】
【０００７】
列車に搭載された機器に割り当てられるＩＰアドレスは、列車内での機器の配置に応じて固定的に付与され、機器のユニークなＩＤとして管理される。このように、列車内でＩＰアドレスが固定的に割り当てられる理由は、機器が故障し通信異常が発生した場合に、ＩＰアドレスから故障した機器を即座に特定でき、故障した機器を速やかに入れ替えることが可能になるからであり、さらに、ある機器にイベントが発生した際に、ＩＰアドレスから当該イベントが発生した機器が何号車の何台目の機器であるかを即座に特定することが可能になるからである。【０００８】
しかしながら、ＤＨＣＰを利用したＩＰアドレスの配信方法では、ＩＰアドレスの再設定時に毎回同じ機器に同じＩＰアドレスが設定されるとは限らず、同じ機器に同じＩＰアドレスを設定するためには機器のＭＡＣ（Media  Access  Control）アドレスを特定する必要があるなど、処理が複雑になる。【０００９】
また、特許文献１に記載されたＩＰアドレスの配信方法では、通信経路上に配置されたスイッチに特定の機能を設ける必要がある。【００１０】
本発明は、上記に鑑みてなされたものであって、列車内の機器に固定的なＩＰアドレスをより簡易に割り当てることが可能なＩＰアドレス配信装置、ＩＰアドレス配信システムおよびＩＰアドレス配信方法を提供することを目的とする。
【課題を解決するための手段】
【００１１】
上述した課題を解決し、目的を達成するために、本発明に係るＩＰアドレス配信システムは、列車内に構築された通信ネットワークに接続された複数の機器と、前記通信ネットワークに接続され、機器からの要求に応じて要求元の機器に割り当てるＩＰアドレスを選択し、当該ＩＰアドレスを前記要求元の機器に送信するＩＰアドレス配信装置と、を備え、前記ＩＰアドレス配信装置は、表示部と、ＩＰアドレスと当該ＩＰアドレスが使用されるべき機器の列車内設置位置とが対応付けて管理されると共に当該ＩＰアドレスが使用済みかまたは未使用かの情報を含むＩＰアドレス管理テーブルを記憶する記憶部と、前記要求元の機器からＩＰアドレスの要求を受けると、前記ＩＰアドレス管理テーブルを参照して未使用のＩＰアドレスを前記列車内設置位置と対応付けて前記表示部に表示し、当該表示部に表示された前記未使用のＩＰアドレスのうち前記要求元の機器の列車内設置位置に対応するＩＰアドレスを選択するための入力情報を受け付け、当該入力情報に基づいて前記要求元の機器に割り当てるＩＰアドレスを前記ＩＰアドレス管理テーブルから選択するＩＰアドレス配信部と、を備えることを特徴とする。
【発明の効果】
【００１２】
本発明によれば、列車内の機器に固定的なＩＰアドレスをより簡易に割り当てることができる、という効果を奏する。
【図面の簡単な説明】
【００１３】
【図１】図１は、実施の形態１における列車の全体構成の一例を示す図である。
【図２】図２は、実施の形態１に係るＩＰアドレス配信システムの構成の一例を示した図である。
【図３】図３は、実施の形態１の機器の機能構成の一例を示したブロック図である。
【図４】図４は、実施の形態１に係るＩＰアドレス配信装置の機能構成の一例を示したブロック図である。
【図５】図５は、ＩＰアドレス管理テーブルの一例を示した図である。
【図６】図６は、入力部を有する機器のＩＰアドレス取得動作を示したフローチャートである。
【図７】図７は、ＩＰアドレス配信装置のＩＰアドレス配信動作を示したフローチャートである。
【図８】図８は、未使用のＩＰアドレスの一覧の表示例を示した図である。
【図９】図９は、ＤＨＣＰで使用される通信処理を利用した場合におけるＩＰアドレス設定時のシーケンス図である。
【図１０】図１０は、実施の形態１の変形例に係るＩＰアドレス配信装置の機能構成を示したブロック図である。
【図１１】図１１は、入力部を有しない機器２のＩＰアドレス取得動作を示したフローチャートである。
【図１２】図１２は、実施の形態２に係るＩＰアドレス配信装置の機能構成の一例を示したブロック図である。
【図１３】図１３は、実施の形態３に係るＩＰアドレス配信装置の機能構成の一例を示したブロック図である。
【発明を実施するための形態】
【００１４】
以下に、本発明の実施の形態に係るＩＰアドレス配信装置、ＩＰアドレス配信システムおよびＩＰアドレス配信方法を図面に基づいて詳細に説明する。なお、この実施の形態によりこの発明が限定されるものではない。
【００１５】
実施の形態１．
図１は、本実施の形態における列車の全体構成の一例を示す図である。図１では、列車の編成の車両５０における機器２の配置構成に一例を示している。図１に示すように、車両５０内には、複数の機器２と、これら複数の機器２にそれぞれＩＰアドレスを配信可能なＩＰアドレス配信装置１と、ＩＰアドレス配信装置１が管理するデータを表示可能な表示部１ａとが設けられており、これらの複数の機器２、ＩＰアドレス配信装置１、および表示部１ａは通信ネットワーク３に接続されている。ここで通信ネットワーク３は、列車内に構築されたネットワークであり、イーサネット（登録商標）ケーブルと中継機能を有する通信装置（図示せず）とを組み合わせて構築されている。
【００１６】
なお、複数の機器２には同一の符号を付しているが、これら複数の機器２には一般に同種および異種の機種が含まれる。また、図１では、機器２は例えば６台設けられているが、機器２の設置台数は図示例に限定されない。さらにまた、図示例では、車両５０のみを示しているが、編成が複数の車両から構成される場合も同様であり、各車両に搭載された機器群はそれぞれ通信ネットワーク３に接続される。
【００１７】
図２は、本実施の形態に係るＩＰアドレス配信システム１０の構成の一例を示した図である。図２に示すように、１号車には、ＩＰアドレス配信装置１、表示部１ａ、通信装置４、および複数の機器２が搭載され、２号車には、通信装置４および複数の機器２が搭載され、３号車には、通信装置４および複数の機器２が搭載されている。また、表示部１ａ、ＩＰアドレス配信装置１、各車両の通信装置４、および各車両の各機器２は、それぞれ通信ネットワーク３に接続されている。なお、図２では、編成は三両編成としたが、これに限定されない。
【００１８】
機器２は、通信機能が設けられた機器であればよく、例えば、車両内の監視を行うカメラ、乗客が乗務員に緊急通報をするための緊急通報装置、乗客向けにも運行情報を表示する案内表示器、列車情報管理装置、および各種の制御装置などが挙げられる。
【００１９】
図３は、本実施の形態の機器２の機能構成の一例を示したブロック図である。機器２は、外部からの操作による外部入力が可能な入力部２１と、通信をする通信部２２と、ＩＰアドレス２３ａを含むデータを記憶する記憶部２３と、入力部２１、通信部２２、および記憶部２３に接続された制御部２０とを備えている。
【００２０】
入力部２１は、例えば機器２に設けられた操作用のボタンである。なお、車両内の監視用のカメラのように、機器２によっては入力部２１が存在しない場合もある。
【００２１】
図３では、記憶部２３にＩＰアドレス２３ａが記憶されているが、これは機器２にＩＰアドレス２３ａが設定されていることを示している。逆に、機器２にＩＰアドレスが設定されていない場合には、記憶部２３にはＩＰアドレスは記憶されていない。
【００２２】
制御部２０は、ＩＰアドレスを要求するためのＩＰアドレス要求信号を生成するＩＰアドレス要求部２０ａを備える。ＩＰアドレス要求部２０ａは、ＩＰアドレスの初期設定時または再設定時にＩＰアドレス要求信号を生成し、当該ＩＰアドレス要求信号を通信ネットワーク３に送出する。また、ＩＰアドレス要求部２０ａは、ＩＰアドレス配信装置１から送信されたＩＰアドレスを受信し、当該ＩＰアドレスを記憶部２３に保存し当該機器２の通信アドレスに設定する。
【００２３】
図４は、本実施の形態に係るＩＰアドレス配信装置１の機能構成の一例を示したブロック図である。ＩＰアドレス配信装置１は、通信機能をする通信部３１と、外部からの入力を受け付ける入力部３２と、ＩＰアドレス管理テーブル３３ａを含むデータを記憶する記憶部３３と、上記した表示部１ａと、通信部３１、入力部３２、記憶部３３および表示部１ａに接続された制御部３０とを備えている。
【００２４】
ＩＰアドレス管理テーブル３３ａは、ＩＰアドレスと当該ＩＰアドレスが使用されるべき機器の列車内設置位置とを対応付けて管理する。すなわち、ＩＰアドレス管理テーブル３３ａでは、ＩＰアドレスは、当該ＩＰアドレスが使用されるべき機器２の列車内設置位置と対応付けて管理される。
【００２５】
また、ＩＰアドレス管理テーブル３３ａは、ＩＰアドレスが使用済みかまたは未使用かの情報を含んでいる。ここで、使用済みのＩＰアドレスは、既に機器２に配信済みで配信先の機器２で使用されているＩＰアドレスを意味し、未使用のＩＰアドレスは、未配信でいずれの機器２でも使用されていないＩＰアドレスを意味する。
【００２６】
図５は、ＩＰアドレス管理テーブル３３ａの一例を示した図である。図５に示すように、ＩＰアドレス管理テーブル３３ａでは、ＩＰアドレスは列車内設置位置と対応付けて管理されている。ここで、列車内設置位置は、号車番号と当該号車番号の車両における機器の車両内設置位置との組み合わせで与えられる。また、ＩＰアドレス管理テーブル３３ａには、「使用フラグ」の項目が設けられており、使用フラグ「０」は未使用のＩＰアドレスを表し、使用フラグ「１」は使用済みのＩＰアドレスを表す。例えば、ＩＰアドレス「１９２．１６８．０．１」は、未使用のＩＰアドレスであり、号車番号「１」と車両内設置位置「１ドア付近」との組み合わせで指定される列車内設置位置に関連付けられている。このＩＰアドレスは、「１」号車内の「１ドア付近」に設置された機器２に付与されるべきものである。なお、列車内設置位置の指定の仕方は図示例に限定されず、設置位置が区別可能であればよい。
【００２７】
ＩＰアドレス配信部３０ａは、機器２からＩＰアドレスの要求を受けると、ＩＰアドレス管理テーブル３３ａを参照し、未使用のＩＰアドレスを列車内設置位置と対応付けて表示部１ａに表示する。また、ＩＰアドレス配信部３０ａは、表示部１ａに表示された未使用のＩＰアドレスのうち要求元の機器２の列車内設置位置に対応するＩＰアドレスを選択するための入力情報を受け付けることができる。そして、ＩＰアドレス配信部３０ａは、当該入力情報に基づいて要求元の機器２に割り当てるＩＰアドレスをＩＰアドレス管理テーブル３３ａから選択し、当該ＩＰアドレスを要求元の機器２に送信する。
【００２８】
また、表示部１ａは、入力手段として例えばタッチパネルを有し、ユーザは当該タッチパネルを操作することで、表示部１ａに表示された未使用のＩＰアドレスのうち要求元の機器２の列車内設置位置に対応するＩＰアドレスを選択するための入力情報を入力することができる。また、図４に示した入力部３２は、ＩＰアドレス配信装置１本体に設けられたもののみならず、表示部１ａに設けられたタッチパネルも表している。なお、図１では、表示部１ａはＩＰアドレス配信装置１と別体で設けられているが、ＩＰアドレス配信装置１と一体に設けられる構成でもよい。
【００２９】
次に、本実施の形態の動作について説明する。なお、本実施の形態では、機器２が入力部２１を有する場合について説明する。入力部２１は、例えばボタンとする。
【００３０】
図６は、入力部２１を有する機器２のＩＰアドレス取得動作を示したフローチャートである。図６では、ＩＰアドレスの初期設定時または再設定時の機器２の動作を示している。
【００３１】
図６に示すように、ＩＰアドレス要求部２０ａは、電源がオンされた時に（Ｓ１）、ボタンが押下されているか否かを判定する（Ｓ２）。詳細には、ＩＰアドレス要求部２０ａは、ボタンが押下された状態で電源がオンされたか否かを判定する。ここで、電源は、例えば列車の全体の電源である。
【００３２】
Ｓ２での判定の結果、電源オン時にボタンが押下されていない場合は（Ｓ２，Ｎｏ）、機器２はＩＰアドレス取得動作以外の通常動作に移行する。Ｓ２での判定の結果、電源オン時にボタンが押下されていた場合は（Ｓ２，Ｙｅｓ）、ＩＰアドレス要求部２０ａは、Ｓ３以降のＩＰアドレス取得動作に移行する。
【００３３】
このように、電源オン時にボタンが押下されている場合には、ボタンの押下はＩＰアドレスの設定処理のトリガとなる。一般に、ＩＰアドレス要求部２０ａは、電源オン時に入力部２１が操作された状態である場合には、ＩＰアドレスが設定されているか否かにかかわらず、ＩＰアドレスの取得処理を開始する。
【００３４】
次に、ＩＰアドレス要求部２０ａは、電源オン時にボタンが押下されていた場合に（Ｓ２，Ｙｅｓ）、ＩＰアドレスを要求するＩＰアドレス要求信号を生成し、当該ＩＰアドレス要求信号を通信ネットワーク３に送出する（Ｓ３）。ここで、ＩＰアドレス要求信号は、送信先のアドレスをブロードキャストアドレスとしてブロードキャスト送信される。なお、送信元のアドレスは機器２のＭＡＣアドレスとされる。
【００３５】
次に、ＩＰアドレス要求部２０ａは、ＩＰアドレス配信装置１からＩＰアドレス配信信号を受信すると（Ｓ４）、当該ＩＰアドレス配信信号に含まれるＩＰアドレスを記憶部２３に保存し、当該ＩＰアドレスを初期設定または再設定する（Ｓ５）。その後、機器２は通常動作に移行する（Ｓ６）。なお、ＩＰアドレス配信信号について以下に説明する。
【００３６】
図７は、ＩＰアドレス配信装置１のＩＰアドレス配信動作を示したフローチャートである。なお、図７のフローチャートで示す処理は、図６のＳ３の処理とＳ４の処理との間で実施される。
【００３７】
図７に示すように、まず、ＩＰアドレス配信部３０ａは、ＩＰアドレスの要求元の機器２からＩＰアドレス要求信号を受信する（Ｓ１１）。
【００３８】
次に、ＩＰアドレス配信部３０ａは、記憶部３３に記憶されたＩＰアドレス管理テーブル３３ａを参照し、未使用のＩＰアドレスを検索し、ＩＰアドレスの要求がある旨および未使用のＩＰアドレスを列車内設置位置と対応付けて表示部１ａに表示する（Ｓ１２）。
【００３９】
図８では、未使用のＩＰアドレスの一覧の表示例を示している。未使用のＩＰアドレスは、当該ＩＰアドレスに対応付けられた列車内設置位置に設置される機器２に付与されるべきものである。なお、ＩＰアドレス管理テーブル３３ａには、ＩＰアドレスを設定予定の機器２の列車内設置位置に対応付けられた未設定のＩＰアドレスが予め登録されているものとする。また、表示部１ａでは、未使用のＩＰアドレスのみならず、使用済みのＩＰアドレスも併せて表示するようにしてもよい。例えば、表示部１ａで、図５のＩＰアドレス管理テーブル３３ａを表示することもできる。この際、未使用のＩＰアドレスと使用済みのＩＰアドレスを色分けして表示するなどして識別を容易にすることができる。
【００４０】
次に、ＩＰアドレス配信部３０ａは、表示部１ａに表示された未使用のＩＰアドレスのうち要求元の機器２の列車内設置位置に対応するＩＰアドレスを選択するための入力情報を受け付ける（Ｓ１３）。ユーザは要求元の機器２の列車内設置位置を予め知っているので、例えば、ユーザは表示画面上のタッチパネルを操作し、表示部１ａに表示された未使用のＩＰアドレスの一覧から要求元の機器２の列車内設置位置に対応するＩＰアドレスを選択することで、当該ＩＰアドレスを選択するための入力情報をＩＰアドレス配信部３０ａに入力することができる。このように、本処理では、要求元の機器２の列車内設置位置が予めわかっていることが前提となる。
【００４１】
ＩＰアドレス配信部３０ａは、入力情報に基づいて、要求元の機器２に割り当てるＩＰアドレスをＩＰアドレス管理テーブル３３ａから選択し、当該選択されたＩＰアドレスを含むＩＰアドレス配信信号を要求元の機器２に送信する（Ｓ１４）。ＩＰアドレス配信部３０ａは、割り当てられたＩＰアドレスが使用済みのＩＰアドレスであることをＩＰアドレス管理テーブル３３ａに登録する。例えば、図５の例では、当該ＩＰアドレスについて使用フラグが０から１に変更される。
【００４２】
なお、ＩＰアドレス配信部３０ａは、ＩＰアドレス要求信号を受信してからＩＰアドレス配信信号を送信するまでの間は、別のＩＰアドレス要求信号を受信したとしても当該別のＩＰアドレス要求信号を破棄する。従って、表示部１ａにＩＰアドレスの要求がある旨が表示されている場合には、要求元の機器２は１つであり、未使用のＩＰアドレスのうちから要求元の機器２の列車内設置位置に対応するＩＰアドレスを一意に選択することができる。
【００４３】
また、機器２とＩＰアドレス配信装置１との間の通信処理には、ＤＨＣＰで使用される通信処理を用いることができる。図９は、ＤＨＣＰで使用される通信処理を利用した場合におけるＩＰアドレス設定時のシーケンス図である。なお、図９の処理の処理主体は機器２についてはＩＰアドレス要求部２０ａであり、ＩＰアドレス配信装置１についてはＩＰアドレス配信部３０ａである。
【００４４】
図９に示すように、まず、機器２は、図６のＳ１、Ｓ２の処理を順次実施し、電源オン時にボタンが押下されていた場合に（図６のＳ２，Ｙｅｓ）、ＩＰアドレス要求信号としてのＤＨＣＰ  ＤＩＳＣＯＶＥＲ（発見）信号をブロードキャスト送信する。次に、ＩＰアドレス配信装置１は、通信ネットワーク３からＤＨＣＰ  ＤＩＳＣＯＶＥＲ（発見）信号を受信すると、図７のＳ１２からＳ１３の処理を順次実施し、ＩＰアドレス配信信号としてのＤＨＣＰ  ＯＦＦＥＲ（提案）信号を機器２に送信する。ここで、ＤＨＣＰ  ＯＦＦＥＲ（提示）信号には、図７のＳ１３で選択されたＩＰアドレスが含まれる。次に、機器２は、ＩＰアドレス配信装置１から送信されたＩＰアドレスを使用することを通知するため、ＤＨＣＰ  ＲＥＱＵＥＳＴ（要求）信号をブロードキャスト送信する。そして、ＩＰアドレス配信装置１は、ＤＨＣＰ  ＲＥＱＵＥＳＴ（要求）信号を受信すると、ＩＰアドレスの使用を承認するＤＨＣＰ  ＡＣＫ（承認）信号を機器２に送信し、機器２に割り当てられたＩＰアドレスが使用済みであることをＩＰアドレス管理テーブル３３ａに登録する。
【００４５】
以上説明したように、本実施の形態よれば、ＩＰアドレス配信部３０ａは、要求元の機器２からＩＰアドレスの要求を受けると、ＩＰアドレス管理テーブル３３ａを参照して未使用のＩＰアドレスを列車内設置位置と対応付けて表示部１ａに表示し、表示部１ａに表示された未使用のＩＰアドレスのうち要求元の機器２の列車内設置位置に対応するＩＰアドレスを選択するための入力情報を受け付け、当該入力情報に基づいて要求元の機器２に割り当てるＩＰアドレスをＩＰアドレス管理テーブル３３ａから選択するので、通信ネットワーク３上の中継装置である通信装置４に何らの特別な機能を付与することなく、要求元の機器２に固定的なＩＰアドレスを割り当てることができる。
【００４６】
このように、本実施の形態は、通信装置４に特別な機能を付与する必要がないので、汎用のネットワーク機器を使用して構成することができ、あるいは、様々なメーカの装置を組み合せて構成された鉄道車両にも適用することができ、列車内の機器に固定的なＩＰアドレスをより簡易に割り当てることができる。
【００４７】
図１０は、本実施の形態の変形例に係るＩＰアドレス配信装置１の機能構成を示したブロック図である。本変形に係るＩＰアドレス配信装置１では、表示部１ａは無線通信機能を備え、ユーザが所持する携帯端末６０と無線通信が可能である。携帯端末６０はスマートフォンまたはタブレット等であり、無線通信機能を備えている。本変形に係るＩＰアドレス配信装置１のその他の構成は図４と同じであり、図１０では、図４に示す構成要素と同一の構成要素には同一の符号を付している。
【００４８】
ユーザによる携帯端末６０の操作により、携帯端末６０と表示部１ａとが無線通信可能になり、表示部１ａは、携帯端末６０との無線通信により、表示部１ａの表示内容を携帯端末６０に送信し、携帯端末６０は表示部１ａから送信された表示内容を携帯端末６０の表示部（図示せず）に表示することができる。具体的には、表示部１ａは、未使用のＩＰアドレスを列車内設置位置と対応付けて表示する表示内容を携帯端末６０に送信し、携帯端末６０は、表示部１ａから送信された当該表示内容を携帯端末６０の表示部（図示せず）に表示する。
【００４９】
次に、携帯端末６０は、携帯端末６０の表示部（図示せず）に表示された未使用のＩＰアドレスのうち要求元の機器２の列車内設置位置に対応するＩＰアドレスを選択するための入力情報を受け付け、当該入力情報を表示部１ａに送信する。ＩＰアドレス配信部３０ａは、表示部１ａを介して、携帯端末６０から送信された入力情報を受け付ける。
【００５０】
本変形例の効果は以下の通りである。表示部１ａは運転台に設置されることが一般的である。この場合に、機器２が運転台から離れているときは、携帯端末６０を所持したユーザが機器２の列車内設置位置で機器２の操作およびＩＰアドレス配信部３０ａへの入力処理を実施することができるので、作業性が向上する。
【００５１】
また、ユーザは機器２の列車内設置位置でＩＰアドレス配信部３０ａへの入力処理を実施することができるので、機器２の列車内設置位置をより把握しやすく、携帯端末６０の表示部（図示せず）に表示された未使用のＩＰアドレスのうちから機器２の列車内設置位置に対応するＩＰアドレスを選択する際の選択が容易となる。
【００５２】
実施の形態２．
実施の形態１では、機器２が入力部２１を有する場合について説明したが、本実施の形態では、機器２が入力部２１を有しない場合について説明する。機器２の構成は図３から入力部２１を除いたものと同じであるため、図示は省略する。
【００５３】
図１１は、入力部を有しない機器２のＩＰアドレス取得動作を示したフローチャートである。図１０では、ＩＰアドレスの初期設定時の機器２の動作を示している。
【００５４】
図１１に示すように、ＩＰアドレス要求部２０ａは、電源がオンされた時に（Ｓ２０）、ＩＰアドレスが設定済みか否かを判定する（Ｓ２１）。ここで、電源は、例えば列車の全体の電源である。
【００５５】
Ｓ２１での判定の結果、電源オン時にＩＰアドレスが設定済みの場合は（Ｓ２１，Ｙｅｓ）、機器２はＩＰアドレス取得動作以外の通常動作に移行する。Ｓ２１での判定の結果、電源オン時にＩＰアドレスが設定済みではない場合は（Ｓ２１，Ｎｏ）、ＩＰアドレス要求部２０ａは、Ｓ２２以降のＩＰアドレス取得動作に移行する。
【００５６】
次に、ＩＰアドレス要求部２０ａは、電源オン時にＩＰアドレスが未設定の場合に、ＩＰアドレスを要求するＩＰアドレス要求信号を生成し、当該ＩＰアドレス要求信号を通信ネットワーク３に送出する（Ｓ２２）。ここで、ＩＰアドレス要求信号は、送信先のアドレスをブロードキャストアドレスとしてブロードキャスト送信される。なお、送信元のアドレスは機器２のＭＡＣアドレスとされる。
【００５７】
次に、ＩＰアドレス要求部２０ａは、ＩＰアドレス配信装置１からＩＰアドレス配信信号を受信すると（Ｓ２３）、当該ＩＰアドレス配信信号に含まれるＩＰアドレスを記憶部２３に保存し、当該ＩＰアドレスを初期設定する（Ｓ２４）。その後、機器２は通常動作に移行する（Ｓ２５）。以上がＩＰアドレスの初期設定時の機器２の動作である。
【００５８】
次に、ＩＰアドレスの再設定時の動作について説明する。機器２にボタン等の入力部が存在しない場合は、ボタン押下等によるＩＰアドレスの再設定処理ができない。そこで、本実施の形態では、ＩＰアドレス配信装置１から機器２にＩＰアドレスを消去させるＩＰアドレスクリア信号を送信し、一旦、機器２をＩＰアドレスの初期設定時の状態にした後に、図１１の処理に従ってＩＰアドレスの設定処理を行う。以下、詳細について説明する。
【００５９】
図１２は、本実施の形態に係るＩＰアドレス配信装置の機能構成の一例を示したブロック図である。図４との相違点は、制御部３０にＩＰアドレスクリア信号生成部３０ｂが設けられている点である。
【００６０】
まず、ユーザは、例えば表示部１ａのタッチパネルを操作して、ＩＰアドレスの再設定用の表示画面を表示部１ａに表示させる。この表示画面では、ＩＰアドレス管理テーブル３３ａに管理された使用済みのＩＰアドレスが列車内設置位置と対応付けて表示される。なお、表示部１ａにＩＰアドレス管理テーブル３３ａを表示させるようにしてもよい。
【００６１】
次に、ユーザは、タッチパネルを操作し、表示部１ａに表示された使用済みのＩＰアドレスから、ＩＰアドレスの再設定の対象である機器２の列車内設置位置に対応するＩＰアドレスを選択する。これにより、当該ＩＰアドレスを選択するための入力情報がＩＰアドレス配信装置１に入力される。
【００６２】
次に、ＩＰアドレスクリア信号生成部３０ｂは、当該入力情報を受け付け、当該ＩＰアドレスが割り当てられた機器２にＩＰアドレスのクリア処理を実行させるＩＰアドレスクリア信号を生成し、当該ＩＰアドレスを送信先のアドレスにして当該ＩＰアドレスクリア信号を当該機器２に送信する。以降の処理は、図１０を用いて説明した通りである。
【００６３】
このように、本実施の形態によれば、機器２が入力部２１を有しない場合でも、ＩＰアドレスの初期設定および再設定のいずれの処理も実施可能である。本実施の形態のその他の構成、動作、および効果は実施の形態１と同様である。
【００６４】
なお、本実施の形態は、機器２が入力部２１を有する場合にも適用することができる。すなわち、機器２が入力部２１を有する場合に、図６の処理を実施する代わりに、図１０の処理を実施し、かつ、ＩＰアドレス配信装置１にＩＰアドレスクリア信号生成部３０ｂを設けるようにしてもよい。
【００６５】
また、実施の形態１の変形例のように、本実施の形態の表示部１ａに無線通信機能を設け、携帯端末と表示部１ａとを無線通信可能に接続し、携帯端末を介してＩＰアドレスの設定処理ができるようにしてもよい。
【００６６】
実施の形態３．
図１３は、実施の形態３に係るＩＰアドレス配信装置の機能構成の一例を示したブロック図である。図１３に示すように、機器２では、制御部２０に故障判定部２０ｂが設けられている。機器２のその他の構成は、図３と同じである。なお、図１３では、機器２は入力部２１を有しているが、本実施の形態は入力部２１を有していない場合にも適用できる。また、本実施の形態のその他の構成は実施の形態１と同じである。
【００６７】
故障判定部２０ｂは、機器２の一部に故障が発生したか否かを判定し、故障が発生した場合には、当該機器２の故障情報をＩＰアドレス配信装置１に送信する。
【００６８】
ＩＰアドレス配信装置１、具体的には制御部２０は、機器２から故障情報を受信すると、ＩＰアドレス管理テーブル３３ａを参照し、当該送信元のＩＰアドレスと当該ＩＰアドレスに対応付けられた列車内設置位置を表示部１ａに表示し、併せて、当該送信元のＩＰアドレスが割り当てられた機器に故障が発生した旨の表示をする。
【００６９】
本実施の形態によれば、機器２に故障が発生した場合に、ＩＰアドレス配信装置１は、故障が発生した機器２のＩＰアドレスと併せて当該機器２の列車内設置位置を表示部１ａに表示させるので、ユーザは故障が発生した機器２の設置場所を即座に認識することができる。本実施の形態のその他の動作および効果は実施の形態１，２と同様である。
【００７０】
なお、機器２の通信部２２が故障した場合には、ＩＰアドレス配信装置１は機器２から故障情報を得ることができない。この場合に対処するため、機器２からＩＰアドレス配信装置１に通信異常がないことを報せる信号を一定間隔で送信させ、当該信号がＩＰアドレス配信装置１にて当該一定間隔で受信されるか否かを監視させることもできる。すなわち、ＩＰアドレス配信装置１は、当該信号が当該一定間隔で受信されないと判定した場合には、当該機器２との通信に異常が発生したと判定し、次に、ＩＰアドレス管理テーブル３３ａを参照して、当該機器２のＩＰアドレスと当該ＩＰアドレスに対応付けられた列車内設置位置を表示部１ａに表示し、併せて、当該ＩＰアドレスが割り当てられた機器２との通信に異常が発生した旨の表示をする。こうすることで、ユーザは通信異常が発生した機器２の設置場所を即座に認識することができる。
【産業上の利用可能性】
【００７１】
以上のように、本発明は、列車内で機器に固定的なＩＰアドレスを配信するＩＰアドレス配信装置、ＩＰアドレス配信システム、およびＩＰアドレス配信方法として有用である。
【符号の説明】
【００７２】
１  ＩＰアドレス配信装置、１ａ  表示部、２  機器、３  通信ネットワーク、４  通信装置、１０  ＩＰアドレス配信システム、２０，３０  制御部、２０ａ  ＩＰアドレス要求部、２０ｂ  故障判定部、２１，３２  入力部、２２，３１  通信部、２３，３３  記憶部、２３ａ  ＩＰアドレス、３０ａ  ＩＰアドレス配信部、３０ｂ  ＩＰアドレスクリア信号生成部、３３ａ  ＩＰアドレス管理テーブル、５０  車両。 
【図１】
2016079824.tif 000003
【図２】
2016079824.tif 000004
【図３】
2016079824.tif 000005
【図４】
2016079824.tif 000006
【図５】
2016079824.tif 000007
【図６】
2016079824.tif 000008
【図７】
2016079824.tif 000009
【図８】
2016079824.tif 000010
【図９】
2016079824.tif 000011
【図１０】
2016079824.tif 000012
【図１１】
2016079824.tif 000013
【図１２】
2016079824.tif 000014
【図１３】
2016079824.tif 000015
【国際調査報告】
2016079824.tif 000016
2016079824.tif 000017